(57)【要約】【課題】外部電源で動作する電子機器において、待機時にも使用する回路に対する電力の供給元を通常動作時と待機動作時との間で切り替えるに際し、電力供給ラインの電位が不安定になることや瞬断が生じることを防止でき、また複雑なスイッチ回路や瞬断防止専用の２次電池やレギュレータを設置する必要も無くす。【解決手段】テレビ装置等の電子機器１は、少なくとも待機動作時にも動作する回路（ブロック２１で例示）と、通常動作時にブロック２１に対して電力を供給する通常電力供給部と、待機動作時にブロック２１に対して通常電力供給部に比べて小さい電力を供給する待機電力供給部と、ブロック２１に対する電力の供給元を、通常電力供給部と待機電力供給部のいずれかに切り替える切替スイッチ２５と、端子Ｃとブロック２１との間でブロック２１に並列に接続されたコンデンサ２２と、を備える。【選択図】図１
2011114976.tif 000002
【特許請求の範囲】
【請求項１】
外部電源からの電力供給を受けて動作する電子機器であって、
少なくとも待機動作時にも動作させる回路と、
通常動作時に、前記回路に対して電力を供給する通常電力供給部と、
待機動作時に、前記回路に対して、前記通常電力供給部で供給する電力に比べて小さい電力を供給する待機電力供給部と、
前記回路に対する電力の供給元を、前記通常電力供給部と該待機電力供給部のいずれかに切り替える切替スイッチと、
該切替スイッチと前記回路との間で、前記回路に並列に接続されたコンデンサと、
を備えたことを特徴とする電子機器。
【請求項２】
請求項１に記載の電子機器において、前記コンデンサは、前記切替スイッチが前記供給元の切り替えを開始してから完了するまでの間、前記一部の回路に対して電力を供給することが可能な性能をもつことを特徴とする電子機器。
【請求項３】
請求項１又は２に記載の電子機器において、前記切替スイッチは、前記一部の回路が搭載された基板側に設けられていることを特徴とする電子機器。
【請求項４】
請求項１〜３のいずれか１項に記載の電子機器において、前記電子機器はテレビ装置であることを特徴とする電子機器。
【発明の詳細な説明】
【技術分野】
【０００１】
本発明は、電子機器に関し、より詳細には、外部電源で動作し、待機時にも使用する回路に対する電力の供給元を通常動作時と待機動作時とで切り替えることが可能な電子機器に関する。
【背景技術】
【０００２】
従来から、電子機器には、通常動作時の通電状態とは異なるモードとしてパワーダウンモードを有するものがある。例えば電子機器がテレビ装置である場合、通常動作時とは視聴のための再生動作時を指すことになる。パワーダウンモードとは、電源スイッチをＯＦＦした状態で低消費電力で設定を保持するモードであって、例えばメモリやコントローラで構成されるブロックなど、設定の保持に必要な回路のみに対して電力が供給された状態で待機するモードを指す。
【０００３】
パワーダウンモードを実現するためには、通常動作時に使用している電源をパワーダウン時にもそのまま引き続き使用するか、若しくは、瞬断を防止しながら電源を切り替える必要がある。
【０００４】
瞬断を防止するためには、一方の電源を接続した状態で他方の電源を接続して切り替える方法を採用することが考えられる。
【０００５】
一方で、特許文献１には、着脱可能な外部バッテリを使用中にバッテリ駆動機器本体からその外部バッテリを取り外した時に、バッテリ駆動機器の内部に設けた内部バッテリから電力供給を行うように切り替える方式が開示されている。この方式では、外部バッテリからの電力供給をＯＮ／ＯＦＦするスイッチ回路と内部バッテリからの電力供給をＯＮ／ＯＦＦするスイッチ回路とを独立に制御することで、切り替えを行っている。
【０００６】
そして、この方式では、バッテリ駆動機器内部の２次電池の出力をクランプ用の電圧とするダイオードからなるクランプ回路を、電源供給ラインに接続することで、着脱する外部バッテリに起因する電源供給ラインの電圧の瞬断を防止している。
【先行技術文献】
【特許文献】
【０００７】
【特許文献１】特開２００６−１４９０７８号公報
【発明の概要】
【発明が解決しようとする課題】
【０００８】
上述のように、外部電源で動作する電子機器において、一部の回路（待機時も使用する回路）に対する電源を通常動作用と待機動作用とで２系統設け、それらの間で電源を切り替える構成を採用する場合には、切り替え時の瞬断を防止する必要がある。
【０００９】
しかしながら、一方の電源を接続した状態で他方の電源を接続して切り替える方法では、２つの電源出力が同一ラインに接続されることになるため、電力が供給されるラインの電位は不安定なものとなってしまう。特に、上記一部の回路の動作電圧スレショルド以下に電源電圧を降下させてしまうと、上記一部の回路が動作しなくなってしまう。従って、２系統の電源出力を同時に接続しないような他の方法で、瞬断を防止することが望まれる。
【００１０】
なお、特許文献１に記載の技術は、一部の回路に対する電源を通常動作用と待機動作用とで２系統設けた構成ではない。また、仮に、このような２系統の電源を設けた構成に特許文献１に記載の瞬断防止技術を適用して、上記一部の回路への電力供給ラインに瞬断防止用の２次電池（蓄電池）或いはレギュレータを設置するように改良したとしても、瞬断防止用の２次電池やレギュレータの部品コストが嵩んでしまうだけでなく、独立制御可能な２つのスイッチ回路によって複雑な回路構成になってしまう。
【００１１】
本発明は、上述のような実状に鑑みてなされたものであり、その目的は、外部電源からの電力供給を受けて動作する電子機器であって、待機時にも使用する回路に対する電力の供給元を通常動作時と待機動作時との間で切り替えるに際し、電力供給ラインの電位が不安定になることや瞬断が生じることを防止することができ、また複雑なスイッチ回路や瞬断防止専用の２次電池やレギュレータを設置する必要がない電子機器を提供することにある。
【課題を解決するための手段】
【００１２】
上記課題を解決するために、本発明の第１の技術手段は、外部電源からの電力供給を受けて動作する電子機器であって、少なくとも待機動作時にも動作させる回路と、通常動作時に、前記回路に対して電力を供給する通常電力供給部と、待機動作時に、前記回路に対して、前記通常電力供給部で供給する電力に比べて小さい電力を供給する待機電力供給部と、前記回路に対する電力の供給元を、前記通常電力供給部と該待機電力供給部のいずれかに切り替える切替スイッチと、該切替スイッチと前記回路との間で、前記回路に並列に接続されたコンデンサと、を備えたことを特徴としたものである。
【００１３】
第２の技術手段は、第１の技術手段において、前記コンデンサは、前記切替スイッチが前記供給元の切り替えを開始してから完了するまでの間、前記一部の回路に対して電力を供給することが可能な性能をもつことを特徴としたものである。
【００１４】
第３の技術手段は、第１又は第２の技術手段において、前記切替スイッチは、前記一部の回路が搭載された基板側に設けられていることを特徴としたものである。
【００１５】
第４の技術手段は、第１〜第３のいずれかの技術手段において、前記電子機器はテレビ装置であることを特徴としたものである。
【発明の効果】
【００１６】
本発明の電子機器によれば、外部電源からの電力供給を受け動作する構成において、待機時にも使用する回路に対する電力の供給元を通常動作時と待機動作時との間で切り替えるに際し、電力供給ラインの電位が不安定になることや瞬断が生じることを防止でき、また複雑なスイッチ回路や瞬断防止専用の２次電池やレギュレータを設置する必要がなくなる。
【図面の簡単な説明】
【００１７】
【図１】本発明に係るテレビ装置の一構成例を示す図で、特にテレビ装置に具備されるシステム回路のうちの電源基板及びメイン基板の一構成例を示す図である。
【図２】図１における電源基板及びメイン基板の電源ＯＮ時の動作例を示すタイミング図である。
【発明を実施するための形態】
【００１８】
本発明に係る電子機器は、外部電源で動作し、通常動作時と待機動作時とで一部の回路に対する電力の供給元（通常動作時の系統と待機動作時の系統）を切り替えることが可能となっている。ここで、一部の回路とは、通常動作時だけではなく待機時にも動作させ使用する回路を指す。
【００１９】
また、本発明に係る電子機器としては、外部のＡＣ電源からの交流で動作する電子機器や、外部のＡＣ電源からの交流を直流にコンバートし直流で動作する電子機器などが該当する。なお、以下では前者の場合を前提としてのみ説明するが、後者の場合でも後述する電源基板からメイン基板側に直流電圧が印加される点が異なるものの、基本的な考え方は同様である。また、本発明に係る電子機器としては、外部のＤＣ電源で動作する電子機器も該当し、その説明も省略するが、基本的な考え方は同様である。
【００２０】
以下、本発明に係る電子機器についてテレビ装置を例に挙げて説明するが、録画機器、再生機器等のＡＶ機器をはじめ、複合機等の他種の機器にも同様に適用することができる。テレビ装置としては、ＬＣＤ（Liquid Crystal Display）や有機ＥＬディスプレイ（Organic Electroluminescence Display）など、様々な表示方式の装置が採用できる。
【００２１】
図１は、本発明に係るテレビ装置の一構成例を示す図で、特にテレビ装置に具備されるシステム回路のうちの電源基板及びメイン基板の一構成例を示す図である。図１に例示するテレビ装置１には、電源基板１０及びメイン基板２０を含むシステム回路が設けられている。その他、テレビ装置には、例えば入出力端子、表示パネル（及びバックライト）、スピーカ、映像処理回路、音声処理回路、筐体などの図示しない部品が設けられている。無論、映像処理回路、音声処理回路の一部など、メイン基板２０側に搭載してもよい部品もある。
【００２２】
電源基板１０は、ＡＣコード等でなるＡＣ電源ライン１２に接続された基板であって、ＡＣ電源ライン１２からの電力をメイン基板２０に対して供給するための基板である。電源基板１０は、電源スイッチ（ＳＷ）１３及びブロック１１を備える。
【００２３】
電源スイッチ１３は、視聴のための通常動作をＯＮするかＯＦＦするかを、ユーザから受け付けるスイッチである。電源スイッチ１３は、テレビ装置１に付属のリモートコントローラとそこからの制御信号を受信する本体側の受信部とで構成することもできるし、テレビ装置１の本体に設けたボタン型のスイッチで構成することもできる。
【００２４】
ブロック１１は、整流回路、トランス、及びレギュレータなどで構成され、ＡＣ電源ライン１２から供給されたＡＣ電源に対して、整流、変圧、安定化などの処理を行う。ブロック１１には通常電源ライン１４及び待機電源ライン１５が接続されており、各ライン１４，１５は電力供給先であるメイン基板２０に接続されている。メイン基板２０は、通常動作時だけでなく待機動作時（パワーダウン時）にも電力を必要とする後述のブロック２１を備える。
【００２５】
そして、ブロック１１は、ＡＣ電源ライン１２から電力供給がなされると、待機電源ライン１５に対して、テレビ装置１の所定のブロックが待機動作を行うための電力を供給する回路を備える。所定のブロックとは、メイン基板２０のブロック２１と、ブロック２１と同様に接続された図示しない回路（但し、メイン基板２０上の回路に限らない）であって待機動作時に必要な回路とを指す。無論、ブロック２１のみが待機動作を行う構成を採用することもできる。また、ブロック１１は、電源スイッチ１３がＯＮの状態になると、通常電源ライン１４に対して、ブロック２１等の上記所定のブロックが通常動作を行うための電力を供給する回路を備える。
【００２６】
テレビ装置１における通常動作とは、上述のように視聴のための動作であり、放送波や外部入力端子などからの映像・音声データの入力とそれらの再生などが該当する。通常動作は、不揮発性メモリからデフォルトやユーザが定めた各種設定を読み出すなどの初期設定の実行がなされた状態での動作である。ユーザは、このような通常動作により、設定した視聴環境で放送番組等のコンテンツを視聴できるようになる。
【００２７】
テレビ装置１における待機動作とは、通常動作をしない間、不揮発性メモリから各種設定を再度読み込まずに済むように、低消費電力で（通常動作時よりパワーダウンさせた状態で）テレビ装置１の各種設定を保持するための動作である。また、本例では、ＡＣ電源ライン１２への電源投入により待機動作へ移行し、そこで上述の初期設定を行うものとする。なお、ここではテレビ装置を例示しているが、テレビ装置以外の種類の電子機器についても、その待機動作とは電子機器の各種設定を保持するための動作を指し、その通常動作とはその電子機器が通常実行する動作を指す。
【００２８】
また、待機電源ライン１５は、通常電源ライン１４で供給する電力に比べて小さい電力を供給する電源ラインとする。換言すると、待機電源ライン１５は、通常電源ライン１４に比べ、電流容量の小さい回路に電力を供給するために設けられた電源ラインであり、ブロック１１では、供給先のライン１４，１５の電流容量に応じた変圧がなされている。供給電圧の組み合わせの一例を挙げると、待機電源ライン１５からの供給電圧が５Ｖ、通常電源ライン１４からの供給電圧が１５Ｖとなる。
【００２９】
ここで、ブロック２１について説明する。ブロック２１は、メモリとコントローラで構成されている。ブロック２１内のメモリは、上記各種設定を保持するために具備され、ＸＤＲ  ＤＲＡＭ（extreme data rate dynamic random access memory）など、種々のものが採用できる。このメモリには一般的に揮発性メモリが用いられる。
【００３０】
ブロック２１内のコントローラは、ＡＣ電源ライン１２への電源投入をトリガとして、待機動作状態に移行して初期設定を行って、システムを立ち上げるように、テレビ装置１の回路を制御する。また、このコントローラは、電源スイッチ１３におけるＯＮ操作などをトリガとして、待機動作状態から通常動作状態へと移行させるようにテレビ装置１の回路を制御する。また、このコントローラは、電源スイッチ１３におけるＯＦＦ操作などをトリガとして、メモリに各種設定を保持したまま通常動作状態から待機動作状態へと移行させるように、テレビ装置１の回路を制御する。また、このコントローラは、ＡＣ電源ライン１２での電源遮断をトリガとして、システムを停止するようにテレビ装置１の回路を制御する。
【００３１】
このように、ブロック２１内のコントローラは、不揮発性メモリやブロック２１内のメモリと協働しながら、ＡＣ電源ライン１２への電源投入時のシステム立ち上げシーケンスや電源遮断時のシステム停止シーケンスや、電源スイッチ１３のＯＮ／ＯＦＦ操作による動作切替のシーケンスを実行する。ブロック２１としては、上述したシステム立ち上げ／停止シーケンスや動作切替のシーケンスを実行するマイクロコンピュータで構成することもできる。なお、電源スイッチ１３のＯＮ／ＯＦＦ操作は、図示しない経路でメイン基板２０のブロック２１に伝達されるものとする。
【００３２】
図１で例示するメイン基板２０は、ブロック２１の他に、降圧レギュレータ２３，２４を備える。降圧レギュレータ２３は、通常電源ライン１４に接続され、そこから供給される電圧を例えば一定電圧Ｖｕだけ降下させることで、後段で必要となる電圧に調整する。降圧レギュレータ２４は、待機電源ライン１５に接続され、そこから供給される電圧を例えば一定電圧Ｖｗだけ降下させることで、後段で必要となる電圧に調整する。なお、降圧レギュレータ２３，２４はブロック１１の構成によっては設けなくてもよい。
【００３３】
このように、テレビ装置１は、ブロック１１内の通常動作用の電力を供給する回路や通常電源ライン１４等で構成できる通常電力供給部と、ブロック１１内の待機動作用の電力を供給する回路や待機電源ライン１５等で構成できる待機電力供給部とを備える。通常電力供給部は、ＡＣ電源からの電力供給を受けて通常動作時にブロック２１等の上記所定のブロックに対して電力を供給し、待機電力供給部は、ＡＣ電源からの電力供給を受けて、待機動作時にブロック２１等の上記所定のブロックに対して通常電力供給部に比べて小さい電力を供給することになる。上記所定のブロックは、通常動作時には消費電流を多く要する動作を行うため、待機動作時より大きい電流容量になっている。
【００３４】
そして、メイン基板２０は、ブロック２１等の上記所定のブロックに対する電力の供給元を通常電力供給部と待機電力供給部との間で切り替える切替スイッチ２５を備える。図１に示すように、切替スイッチ２５の端子Ｃにはブロック２１等の上記所定のブロックが接続されている。また、切替スイッチ２５の端子Ｂには降圧レギュレータ２３を介して通常電源ライン１４が接続され、切替スイッチ２５の端子Ａには降圧レギュレータ２４を介して待機電源ライン１５が接続されている。
【００３５】
状態の移行をブロック２１のコントローラが制御すると説明したように、上記所定のブロックの電力供給源として通常電源ライン１４と待機電源ライン１５のいずれを使用するかの切り替えは、切替スイッチ２５をブロック２１のコントローラが（図示しない経路で）制御することで実行される。ここで、コントローラは、電源スイッチ１３によりＯＮ操作がなされたときには、供給元を待機電源ライン１５側から通常電源ライン１４側へと切り替え、逆にＯＦＦ操作がなされたときには、供給元を通常電源ライン１４側から待機電源ライン１５側へと切り替える。
【００３６】
メイン基板２０は、さらにコンデンサ２２を備える。コンデンサ２２は、切替スイッチ２５の端子Ｃと上記所定のブロック（ブロック２１、及び端子Ｃに接続され待機動作時にも必要な他の回路）との間で、上記所定のブロックに並列に接続される。つまり、コンデンサ２２は、切替スイッチ２５の端子Ｃに、上記所定のブロックと並列になるように接続される。
【００３７】
このような接続により、まず、通常電力供給部の通常電源ライン１４、待機電力供給部の待機電源ライン１５のいずれで電力を供給している状態でも、切替処理に備えてコンデンサ２２を充電することができる。さらに、コンデンサ２２は、ブロック２１のコントローラが切替スイッチ２５で供給元の切り替えを開始すると、上記所定のブロックに対して電力を供給することができる。
【００３８】
これにより、切替処理を開始してから上記所定のブロックの動作スレショルド以下になるまでの時間を、少なくとも延長することはできる。つまり、切替スイッチ２５の端子Ｃが端子Ａ及び端子Ｂから切り離されている間に、ブロック２１等の上記所定のブロックに供給される電源がその動作スレショルド電位になる危険性を低くすることができる。しかも、ブロック２１等の上記所定のブロックに、別途レギュレータを設置するなどして高コストになってしまうこともない。
【００３９】
さらに、コンデンサ２２は、ブロック２１のコントローラが切替スイッチ２５で供給元の切り替えを開始してから完了するまで、すなわち切替処理の最中、ブロック２１等の上記所定のブロックに対して電力を供給することが可能な性能をもつことが好ましい。つまり、切替処理が完了するまで電力供給の継続を可能とするために、コンデンサ２２は、充電・放電特性と上記所定のブロックの消費電力等の電気的な特性とに基づき設計して、設ければよい。
【００４０】
例えば、フル充電した状態（若しくはフル充電量に対して所定割合充電した状態Ｘやフル充電量から所定量差し引いた分まで充電した状態Ｙなど）から上記所定のブロックの動作電圧スレショルド以下に下がるまでの時間が、切替スイッチ２５の切替動作が開始してから終了するまでの時間より長くなるように、コンデンサ２２の性能、特にフル充電の容量を決めればよい。
【００４１】
この例では、切替動作が開始されるまでにフル充電の状態（若しくは上記状態Ｘや上記状態Ｙなど）にしておく必要がある。従って、切り替えが必要となったとしても、前回の切り替えやＡＣコードの差し込みなどからフル充電（若しくは上記状態Ｘや上記状態Ｙなど）に要する時間が経過していない場合には切り替えの実行を待ち、経過してから切り替えを実行するようにしておけばよい。代わりに、切替動作を開始する前に充電量を検出するよう構成しておき、フル充電の状態（若しくは上記状態Ｘや上記状態Ｙなど）に達した段階で切替動作を開始するようにしてもよい。
【００４２】
このようにして設計・配設されたコンデンサ２２は、ブロック２１のコントローラの制御により切替スイッチ２５が供給元の切り替えを開始してから完了するまでの間、ブロック２１等の上記所定のブロックに対して電力を供給し続け、上記所定のブロックを動作させ続けることができ、瞬断を確実に防止することができる。
【００４３】
なお、切り替えが完了すれば、通常電源ライン１４、待機電源ライン１５のうち切替後に繋がった方の電源ラインから電力が供給できる。また、図１の構成では切替スイッチ２５及びコンデンサ２２をメイン基板２０側に設けているが、電源基板１０側に設けることもできる。
【００４４】
次に、切替処理中における上記所定のブロックの動作継続性について、図２も併せて参照しながら説明する。図２は、図１における電源基板１０及びメイン基板２０の電源ＯＮ時の動作例を示すタイミング図である。ここでは、ＡＣコードを差し込む前の状態から通常動作状態に移行するまでについて説明する。
【００４５】
ＡＣコードの差し込みによって、ＡＣ電源ライン１２に電力が供給される。ＡＣ電源ライン１２のＡＣ電源電位３１は、電力が供給されたときに、電源切り電位から電源入り電位へと移行する。なお、この移行前、すなわちＡＣ電源ライン１２への電源供給開始前には、切替スイッチ２５の端子Ｃは端子Ａ側と接続された状態になっているものとする。若しくは、この移行後は強制的に端子Ｃを端子Ａ側に接続した状態にする制御がなされるものとする。
【００４６】
そして、この移行により、ブロック２１を含む上記所定のブロックには待機電源ライン１５、降圧レギュレータ２４、切替スイッチ２５を経由して電力が供給され、ブロック２１は、その動作モード３６としてパワーダウンモード３６ａになる。パワーダウンモード３６ａでは、上記所定のブロックは、待機電源ライン１５から供給され降圧レギュレータ２４によって降下された電圧により駆動される。
【００４７】
このように、上記所定のブロックは、電源スイッチ１３をＯＦＦした状態でもＡＣ電源ライン１２から電力が供給されていれば動作する。ここで、このような待機動作を採用する理由、並びにメイン基板２０側に搭載された切替スイッチ２５により電源ラインを切り替える理由について、簡単に説明する。
【００４８】
ブロック２１は初期設定のために、つまり通常動作を実行させるための初期の状態を設定するために時間を要するため、仮に、電源スイッチ１３がＯＮした後に初期の状態を設定した場合には視聴可能となるまでに時間がかかり、テレビ装置の使い勝手を損ねるものである。そこで、ＡＣ電源ライン１２が入った直後に待機電源ライン１５から電力を供給し、初期設定を行う、といった待機動作を採用する。この初期設定は図２のパワーダウンモード３６ａでの処理に相当する。さらにこのような待機動作を採用した場合には、初期設定が主な処理であるため待機電源ライン１５から供給する電力は、通常動作時の電力より少なく、つまり消費する電流が少なくて済む。ブロック２１は、電源スイッチ１３がＯＮされることによりパワーダウンモード３６ａから視聴可能なモード（図２の通常動作モード３６ｂ）に移行したときにはじめて、待機電源ライン１５から供給される電流では不足するため、より多くの電流供給が可能な通常電源ライン１４から電力供給を受け、消費電流を多く要する動作を行えば済む。
【００４９】
さらに、パワーダウンモード３６ａである場合、通常動作モード３６ｂである場合に拘わらず、ブロック２１等の上記所定のブロックが消費する電力を供給できる共通の電源ラインを、電源基板１０側に設置し、ブロック２１のコントローラが切替スイッチ２５を制御するような構成も考えられる。しかし、このような構成は、テレビ装置の改良に際して、電源基板１０の設計変更、コストの上昇を招くものである。従って、図１の構成例で示したように、ブロック２１等の上記所定のブロックに供給する電力をパワーダウンモード３６ａと通常動作モード３６ｂのタイミングにおいて、上記所定のブロックが搭載された基板であるメイン基板２０側に搭載した切替スイッチ２５によって切り替えることが好ましい。つまり、切替スイッチ２５は電源基板１０側よりはメイン基板２０側に設けることが好ましい。
【００５０】
続いて、ＡＣ電源ライン１２に電力が供給された状態からの説明を行う。ユーザ操作により、電源スイッチ１３の状態３２がＯＦＦ状態からＯＮ状態になると、待機電源ライン１５から通常電源ライン１４への移行を行うために、切替スイッチ２５の端子Ａの接続状態３３は「接続」から「非接続」になる。その時点で切替スイッチ２５の端子Ｂの接続状態３４はまだ「非接続」であるため、上記所定のブロックに供給される電源ラインが待機電源ライン１５と通常電源ライン１４のいずれにも接続されていない状態となる。このような状態では、ブロック２１等の上記所定のブロックが動作する電源電圧が動作スレショルド電位以下になると、ブロック２１に設定されていたデータは消失してしまう。そのため、喩えその後、通常電源ライン１４に接続されたとしても、ブロック２１の初期設定から行う必要があり、視聴できるまでに時間を要する。
【００５１】
これを防止するために、本発明ではブロック２１の電源ラインにコンデンサ２２を付加している。コンデンサ２２を搭載したことにより、コンデンサ電位３５として図示するように、切り替えに際してもコンデンサ２２に予め電荷が蓄積されているため、コンデンサ２２から電荷が放出され、ブロック２１等の上記所定のブロックへの電源電圧として供給される。これに伴い、ブロック２１等の上記所定のブロックの電位、つまりコンデンサ電位３５は電源切り電位から長い時間かけて降下する。コンデンサ電位３５が動作スレショルド電位３５ｔまで降下する前に端子Ｂ接続状態３４は「非接続」から「接続」になりコンデンサ電位３５は再度、規定の電位以上になる。なお、最終的に端子Ｃが端子Ｂに接続されるため、コンデンサ電位３５もブロック２１等へと同様に、待機動作用ではなく通常動作用の電位となる。そしてブロック２１の動作モード３６は通常動作モード３６ｂに遷移する。
【００５２】
以上のような構成・制御により、切替処理の最中に、ブロック２１の動作電圧スレショルド以下に電源電圧を降下させないようにすること、すなわちブロック２１への瞬断を防止することが可能になる。特にコンデンサ２２の容量等の性能を上述のように決めることで、瞬断を確実に防止することができる。しかも、コンデンサは、２次電池やレギュレータに比べて低コストで済む。無論、通常電源ライン１４及び待機電源ライン１５といった２系統の電源出力を同時に接続しないように切替スイッチ２５が設けられているため、ブロック２１への電力供給ラインの電位が同時接続に起因して不安定になってしまうこともない。
【００５３】
以上、ＡＣ電源ライン１２への電源供給開始前から通常動作状態に移行するまでについて説明したが、通常動作状態から待機動作状態へ移行するときのコンデンサ２２による瞬断防止についても、基本的に同様である。
【００５４】
簡単に説明すると、通常動作状態で、ユーザ操作により電源スイッチ１３の状態がＯＮ状態からＯＦＦ状態になると、通常電源ライン１４から待機電源ライン１５への移行を行うために、切替スイッチ２５の端子Ｂの接続状態は「接続」から「非接続」になる。その時点で切替スイッチ２５の端子Ａの接続状態はまだ「非接続」であるため、上記所定のブロックに供給される電源ラインが通常電源ライン１４と待機電源ライン１５のいずれにも接続されていない状態となる。このような状態では、ブロック２１等の上記所定のブロックが動作する電源電圧が待機動作時の動作スレショルド電位以下になると、ブロック２１に設定されていたデータは消失してしまう。そのため、喩えその後、待機電源ライン１５に接続されたとしても、ブロック２１の初期設定から行う必要があり、後の通常動作のための準備に時間を要する。
【００５５】
しかし、コンデンサ２２に通常動作時に予め電荷が蓄積されているため、このような切替途中の状態でも、上記所定のブロックに電力が供給できる。これにより、コンデンサ２２の電位が動作スレショルド電位（待機動作時の方が消費電力は少なくて済むため、動作スレショルド電位３５ｔよりは低い電位となる）まで降下する前に端子Ａの接続状態は「非接続」から「接続」になり、コンデンサ２２の電位は再度、規定の電位以上になる。そしてブロック２１の動作モードはパワーダウンモードに遷移する。
【００５６】
無論、動作スレショルド電位以下になることを確実に防ぐためには、切替スイッチ２５の切替動作が開始してから終了するまでの時間（言い換えると切替速度）との関係からコンデンサ２２を設計するか、若しくは切替動作を開始する前に充電量を検出するなどの対策が必要となる。しかし、電源スイッチ１３の状態がＯＮ状態からＯＦＦ状態になると同時にブロック２１はパワーダウンモードに移り、待機動作時の方が消費電力は少なくて済むため、実際には、図２等を参照してパワーダウンモードから通常動作モードへの移行について説明した性能の決め方に基づいて決定したコンデンサ２２でさえあれば（又は切替開始をずらす制御を実行しさえすれば）、通常動作モードからパワーダウンモードへの移行時は、問題なく、つまり瞬断なく確実に動作できる。
【００５７】
また、このようにして通常動作モードから移行したパワーダウンモードでは、切替スイッチ２５の端子Ｃは端子Ａ側と接続された状態であり、次回の電源スイッチ１３のＯＮ操作に対して、図２等を参照して既に述べたような通常動作モード３６ｂへの移行が、再び可能となる。また、このようにして通常動作モードから移行したパワーダウンモードにおいて、ＡＣコードが抜かれるなどによりＡＣ電源ライン１２への電力供給が遮断されると、テレビ装置１の動作が停止する。しかし、停止した場合でも、ＡＣ電源ライン１２への電源供給開始前には、切替スイッチ２５の端子Ｃは端子Ａ側と接続された状態になっているため、次回の電力供給再開に対して、図２等を参照して既に述べたようなパワーダウンモード３６ａへの移行（さらにはユーザのＯＮ操作による通常動作モード３６ｂへの移行）が、再び可能となる。
【００５８】
このように、本発明に係るテレビ装置１では、パワーダウン時には動作中の供給電源を待機電源ライン１５に切り替え、通常動作時には、動作中の供給電源を電流容量がより大きい回路用に設けた通常電源ライン１４に切り替え、切り替えの最中には、低コストで済むコンデンサ２２のチャージを利用し瞬断を防止している。コンデンサ２２を使用することで、２次電池を利用する必要もなく、また動作スレショルド電位に落ちる前に再度電源ラインに接続する必要もない。
【００５９】
以上、コンデンサ２２について、ブロック２１等の上記所定のブロックに対して１つのみコンデンサ２２を設けた例を挙げたが、これに限ったものではない。例えば、切替スイッチ２５の端子Ｃに接続され待機動作時にも必要な回路（上記所定のブロック内の回路）毎にコンデンサを並列接続しておいてもよいし、端子Ｃに接続され待機動作時にも必要な回路を複数のグループに分け、グループ毎にコンデンサを並列接続しておいてもよい。
【００６０】
また、以上の例では、ＡＣ電源ライン１２への電源の投入／遮断がＡＣコードの挿／脱によりなされ、視聴のための通常動作のＯＮ／ＯＦＦが電源スイッチ１３（リモートコントローラ又は本体側のスイッチ）での操作によりなされるものとして説明したが、これに限ったものではない。例えば、本発明は、ＡＣ電源ライン１２への電源の投入／遮断がテレビ装置１の本体側に設けたボタン型のスイッチ（主電源ボタン）でのＯＮ／ＯＦＦ操作によりなされ、視聴のための通常動作のＯＮ／ＯＦＦがリモートコントローラでのＯＮ／ＯＦＦ操作によりなされるようなテレビ装置に適用してもよい。さらに、本発明は、ＡＣ電源ライン１２への電源の投入／遮断が主電源ボタンでのＯＮ／ＯＦＦ操作によりなされ、視聴のための通常動作のＯＮ／ＯＦＦがリモートコントローラでのＯＮ／ＯＦＦ操作によりなされ、且つ、主電源のＯＮ操作だけでＡＣ電源を供給して待機動作へ移行して通常動作へも移行し、逆に主電源のＯＦＦ操作だけで通常動作から待機動作へ移行してさらにＡＣ電源の供給も遮断する、といったテレビ装置に適用してもよい。
【００６１】
また、電源スイッチ１３によりＯＮ操作、ＯＦＦ操作がなされたときに、それぞれ待機動作から通常動作への切り替え、通常動作から待機動作への切り替えを行う例を挙げたが、切り替えのトリガとしてはこれに限ったものではない。例えば、別途設けたＯＮ／ＯＦＦタイマーでＯＮ／ＯＦＦ時刻が到来したときに、ブロック２１のコントローラが切り替えを実行してもよい。このとき、コントローラは、切替スイッチ２５を制御するだけでなく、電源基板１０に対しても供給の切り替えを指示する命令を発するように構成しておけばよい。
【００６２】
以上、本発明に関して、ブロック２１等の上記所定のブロックへ供給する電力、すなわち待機動作時にも電力供給が必要となる回路へ供給する電力について説明した。補足的に、上記所定のブロック以外への電力供給について説明する。通常動作時には、上記所定のブロックに大きい電力を供給する必要があるだけでなく、一般的なテレビ装置の構成では、上記所定のブロック以外にも電力を供給する必要が生じてくる構成が多い。このような電力は、上記所定のブロック以外の回路を例えば通常電源ライン１４又は端子Ｂに接続しておくなどしてブロック１１から供給するようにしてもよいし、電源基板１０とは別に設けた他の電源基板から供給するようにしてもよい。
【符号の説明】
【００６３】
１…テレビ装置、１０…電源基板、１１…ブロック（整流、トランス、レギュレータのブロック）、１２…ＡＣ電源ライン、１３…電源スイッチ、１４…通常電源ライン、１５…待機電源ライン、２０…メイン基板、２１…ブロック（メモリ、コントローラのブロック）、２２…コンデンサ、２３，２４…降圧レギュレータ、２５…切替スイッチ、３１…ＡＣ電源電位、３２…電源スイッチの状態、３３…端子Ａ接続状態、３４…端子Ｂ接続状態、３５…コンデンサ電位、３５ｔ…動作スレショルド電位、３６…動作モード、３６ａ…パワーダウンモード、３６ｂ…通常動作モード。
【図１】
2011114976.tif 000003
【図２】
2011114976.tif 000004